(57)【要約】【解決手段】通気可能なスピンロック容器は、底部、上方環状リムおよび、底部から伸長しリムに至る連続した側壁部を有する容器部材と、周囲密封部分を有する閉鎖部材とを含む。底部と側壁部は第１の部材の空洞を画定し、リムは第一の複数のねじ部を有する第一の部材スカートを含み、第一の複数のねじ部は等間隔に係合点を有する。密封部分は第一の複数のねじ部と協働する第二の複数のねじ部を有するスカートを含む。容器部材および閉鎖部材の密封可能な係合は、第一および第二のねじ部が第一の位置にあるときに行われ、容器部材から容器部材の周囲への通気路は、第一および第二のねじ部が第二の位置にあるときに形成される。
2007532417.tif 000002
【特許請求の範囲】
【請求項１】
通気可能な容器であって、
底部、上方環状リムおよび、前記底部から伸長し前記リムに至る連続した側壁部を有する容器部材と、
内側壁部とスカートとを含む周囲密封部分を有する閉鎖部材と、
を含み、
前記底部と前記側壁部は第１の部材の空洞を画定し、前記リムは内側壁部とスカートとを含み、該スカートは第一の複数のねじ部を有し、該第一の複数のねじ部は等間隔に係合点を有し、
前記スカートは、前記第一の複数のねじ部と協働するように位置する第二の複数のねじ部を有し、
前記容器部材および閉鎖部材の密封可能な係合は、前記第一および第二のねじ部が第一の位置にあるときに行われ、
前記容器部材から容器部材の周囲への通気路は、前記第一および第二のねじ部が第二の位置にあるときに形成される、
ことを特徴とする容器。
【請求項２】
前記容器部材が、前記容器部材のリムにより定義される第一の水平面を有し、前記閉鎖部材は前記周囲密封部分より定義される第二の水平面を有する、請求項１に記載の容器。
【請求項３】
前記容器部材の内側壁部は、前記第一の水平面に関して９５−１２０度の範囲にある角度を形成する、請求項２に記載の容器。
【請求項４】
前記閉鎖部材の内側壁部は、前記第二の水平面に関して９５−１２０度の範囲にある角度を形成する、請求項２に記載の容器。
【請求項５】
前記第一および第二の複数のねじ部は少なくとも二つのねじ部を有する、請求項２に記載の容器。
【請求項６】
前記第一および第二の複数のねじ部は八つのねじ部を有する、請求項１に記載の容器。
【請求項７】
前記第一および第二の複数のねじ部は５−１０度の範囲内で先細りとなる、請求項６に記載の容器。
【請求項８】
前記第二の複数のねじ部のそれぞれは、前記閉鎖部材のスカートから内側に突き出た突起部を有する、請求項１に記載の容器。
【請求項９】
前記第一の複数のねじ部のそれぞれは、前記第二の複数のねじ部の一つを受け入れるガイドを含む、請求項８に記載の容器。
【請求項１０】
前記第一の複数のねじ部のそれぞれは、前記容器部材のスカートから外側に突き出した突出部を有する、請求項１に記載の容器。
【請求項１１】
前記第二の複数のねじ部のそれぞれは、前記第一の複数のねじ部の一つを受け入れるガイドを有する、請求項１０に記載の容器。
【請求項１２】
当該通気可能な容器が、前記容器部材の上で前記閉鎖部材を回転させられる間、前記第二の位置に至ったことを感覚的に知らせる防止手段を有する、請求項１に記載の容器。
【請求項１３】
前記防止手段は、前記第二の複数のねじ部の少なくとも一つの上にある少なくとも一つの隆起部および前記第一の複数のねじ部の少なくとも一つの上にある少なくとも一つの凹部を有し、該凹部は、前記第一および第二の複数のねじ部が係合し、前記第二の位置にあるときに、前記隆起部を受け入れる、請求項１２に記載の容器。
【請求項１４】
前記第一の容器部材はボウルからなる、請求項１に記載の容器。
【請求項１５】
前記閉鎖部材は協働する蓋からなる、請求項１４に記載の容器。
【請求項１６】
前記容器部材および閉鎖部材はポリオレフィン等の材料からなる、請求項１に記載の容器。
【請求項１７】
開口部をもち、該開口部に隣接して密封部材を有する容器の開口部を閉鎖する閉鎖システムであって、
容器密封部材を間に配置する内側壁部と外側壁部とにより画定される、Ｕ字形の周囲を取り囲むように伸長するガイドチャネルを有し、
前記密封部材は、前記ガイドチャネルに対応した形状をもち、内側壁部と外側壁部を含み、
前記ガイドチャネルの内側壁部および前記容器の密封部材の内側壁部は５−３０度の範囲で先細りし、
前記ガイドチャネルの外側壁部は第一の複数のねじ部を有し、前記第一の複数のねじ部は等間隔の係合点を有し、
前記密封部材の外側壁部は、前記第一の複数のねじ部と協働する第二の複数のねじ部を有する、
ことを特徴とする閉鎖システム。
【請求項１８】
前記第一および第二の複数のねじ部は少なくとの二つのネジ部を有する、請求項１７に記載の閉鎖システム。
【請求項１９】
前記第一の複数のねじ部のそれぞれは、前記ガイドチャネルの外側壁部から内側に突き出る突起部を有する、請求項１７に記載の閉鎖システム。
【請求項２０】
前記第二の複数のねじ部のそれぞれが、前記第一の複数のねじ部の一つを受け入れるガイドを有する、請求項１９に記載の閉鎖システム。
【請求項２１】
前記第二の複数のねじ部のそれぞれは、前記密封部材の外側壁部から外側に突き出た突起部を有する、請求項１７に記載の閉鎖システム。
【請求項２２】
前記第一の複数のねじ部のそれぞれは、前記第二の複数のねじ部の一つを受け入れるガイドを有する、請求項２１に記載の閉鎖システム。
【請求項２３】
開口部をもち、該開口部に隣接して密封部材を有する容器の開口部を閉鎖する閉鎖システムであって、
容器密封部材を間に配置する内側壁部と外側壁部とにより画定される、Ｕ字形の周囲を取り囲むように伸長するガイドチャネルを有し、
前記密封部材は、前記ガイドチャネルに対応した形状をもち、内側壁部と外側壁部を含み、
前記ガイドチャネルの内側壁部および前記容器の密封部材の内側壁部は５−３０度の範囲で傾斜し、
前記ガイドチャネルの内側壁部は第一の複数のねじ部を有し、前記第一の複数のねじ部は等間隔の係合点を有し、
前記密封部材の内側壁部は、前記第一の複数のねじ部と協働する第二の複数のねじ部を有する、
ことを特徴とする閉鎖システム。
【請求項２４】
前記第一および第二の複数のねじ部が少なくとも二つのねじ部を有する、請求項２３に記載の閉鎖システム。
【請求項２５】
前記第一の複数のねじ部のそれぞれは、前記ガイドチャネルの内側壁部から外側に突き出た突起部を有する、請求項２３に記載の閉鎖システム。
【請求項２６】
前記第二の複数のねじ部のそれぞれは、前記第一の複数のねじ部の一つを受け入れるガイドを有する、請求項２５に記載の閉鎖システム。
【請求項２７】
前記第二の複数のネジのそれぞれは、前記密封部材の内側部材から内側に突き出た突起部を有する、請求項２３に記載の閉鎖システム。
【請求項２８】
前記第一の複数のねじ部のそれぞれは、前記第二の複数のねじ部の一つを受け入れるガイドを含む、請求項２７に記載の閉鎖システム。
【請求項２９】
開口部をもち、該開口部に隣接して密封部材を有する容器の開口部を閉鎖する閉鎖システムであって、
容器密封部材を間に配置する内側壁部と外側壁部とにより画定される、Ｕ字形の周囲を取り囲むように伸長するガイドチャネルを有し、
前記密封部材は、前記ガイドチャネルに対応した形状をもち、内側壁部と外側壁部を含み、
前記ガイドチャネルの内側壁部および前記容器の密封部材の内側壁部は５−３０度の範囲で先細りし、
前記ガイドチャネルの外側壁部は第一の複数のねじ部を有し、前記第一の複数のねじ部は等間隔の係合点を有し、前記密封部材の外側壁部は、前記第一の複数のねじ部と協働する第二の複数のねじ部を有し、
前記ガイドチャネルの内側壁部および前記容器の密封部材の内側壁部は、前記第一および第二のねじ部が係合位置のあるとき、密封手段となる、
ことを特徴とする閉鎖システム。
【請求項３０】
前記ガイドチャネルおよび前記密封部材は高分子材料から作られる、請求項２９に記載の閉鎖システム。
【請求項３１】
前記ガイドチャネルおよび前記密封部材は熱成形部材から作られる、請求項３０に記載の閉鎖システム。
【請求項３２】
開口部をもち、該開口部に隣接して密封部材を有する容器の開口部を閉鎖する閉鎖システムであって、
容器密封部材を間に配置する内側壁部と外側壁部とにより画定される、Ｕ字形の周囲を取り囲むように伸長するガイドチャネルを有し、
前記密封部材は、前記ガイドチャネルに対応した形状をもち、内側壁部と外側壁部を含み、
前記ガイドチャネルの内側壁部および前記容器の密封部材の内側壁部は５−３０度の範囲で先細りし、
前記ガイドチャネルの内側壁部は第一の複数のねじ部を有し、前記第一の複数のねじ部は等間隔の係合点を有し、前記密封部材の内側壁部は、前記第一の複数のねじ部と協働する第二の複数のねじ部を有し、
前記ガイドチャネルの内側壁部および前記容器の密封部材の内側壁部は、前記第一および第二のねじ部が係合位置のあるとき、密封手段となる、
ことを特徴とする閉鎖システム。
【請求項３３】
前記ガイドチャネルおよび前記密封部材が高分子材料から作られる、請求項３２に記載の閉鎖システム。
【請求項３４】
前記ガイドチャネルおよ前記密封部材は熱成形部材から作られる、請求項３３に記載の閉鎖システム。
【発明の詳細な説明】
【技術分野】
【０００１】
本発明は一般に、繰り返し密閉可能な容器に関する。特に、本発明は、通気可能なスピンロック容器に関する。
【背景技術】
【０００２】
熱可塑性材料からなる容器は従来、知られている。このような容器は一般に、ボウルから適宜外すことでき、種々の特徴（再利用、使い捨て、電子レンジで使用可能など）をもつように設計された蓋を含む。
【発明の開示】
【発明が解決しようとする課題】
【０００３】
いろいろなタイプのボウルおよび蓋からなる組立体、および蓋をボウルに密閉可能に取り付ける手段が開発されている。このような容器は特許文献１に図示されている。
【特許文献１】米国特許第６１７０６９６号明細書
【０００４】
在来の電子レンジに使用可能な容器の問題は、耐えなければならない急激な温度変化に起因する。電子レンジでの加熱の間、容器内の内容物の水分が気化してガス温度が上昇して、高温になるために、容器は通気性がなければならない。したがって、容器は、電子レンジでの加熱の間、僅かにあけておく必要がある。しかし、電子レンジ内で内容物がはね飛ぶことを防ぐために、可能な限りボウルは覆われていることが望ましい。
【０００５】
通常は、電子レンジでの加熱の間、空気や蒸気が逃げることができるように、ボウルから蓋を外して、僅かにずらして置く。このほかに、蓋をボウルから部分的外しておくことである（すなわち、蓋を“僅かにあける”）。どの場合でも、
電子レンジでの加熱の間、容器内の圧力は上昇し、蓋とボウルとの間の空間が増加し、空気や蒸気は通気する。しかし、電子レンジでの加熱が終わると、蒸気は冷え、容器内の圧力は下がる。このような通気では、内部の圧力はもはや蓋をあけようとしないことから、圧力の低下を埋め合わせするように、空気が容器に戻ることはない。この問題は、蒸気（蓋とボウルとを気密にする）のためにより悪くなる。真空や乾燥が生じ、結局は容器が破損する。
【０００６】
通気を与える種々の容器が開発されている。例えば、特許文献２が開示する蓋は、底部の近くに密封ビーズを、頂部の近くに肩部をもつ側壁部を有する。密封ビーズは、容器に設けられた内側肩部と密封する。密封ビーズの外側のそって間をあけてノッチが設けられている。これらノッチは、密封した容器内に生じたガスが、てこ作用で蓋の中央を上に持ち上げるのに十分なガスまたは蒸気圧が生じたとき、逃げられる通気路を与える。
【特許文献２】米国特許第３３６２５６５号明細書
【０００７】
特許文献３には、蓋の垂直で外側の密封部分の内面に通気口を画定する一連の隆起部をもつ蓋が開示されている。隆起部は、蓋が容器にしっかりと取り付けられたとき、通気ができるように容器の縁と係合する。通気により、蓋の適切な密封や取り外しを妨げる内外の間の圧力が生ずるのを防ぐ。
【特許文献３】米国特許第５１４７０５９号明細書
【０００８】
従来技術の容器通気手段に関連して、欠点や問題がある。主な欠点は、従来技術の通気手段が典型的に、製造を難しくする複雑なデザインを含んでいることである。複雑なデザインをもつ蓋は非常にコスト高となる。
【０００９】
(i)第一の位置で容器を適宜密閉でき、第二の一部開放する位置で、容器に通気を行う有効な手段を備え、(ii)在来の製造工程で容易に製造することができる通気可能なスピンロック容器を提供することには利点がある。
【課題を解決するための手段】
【００１０】
本発明の実施例にしたがった通気可能なスピンロック容器は容器部材と閉鎖部材とを含み、容器部材は底部、上部環状のリム、底部とリムとの間で伸長する側壁部を有し、リムは第一の複数のねじ部をもつ第一の部材スカートを有し、第一の複数のねじ部はほぼ等間隔となった係合点をもつ。閉鎖部材は周囲密封部分を有し、周囲密封部分は、第一のねじ部と協働する第二の複数のねじ部を有する。容器部材と閉鎖部材との密封可能な係合は、第一のねじ部と第二のねじ部とが第一の位置にあるとき行われ、容器部材の空洞から容器の周囲への通気路が、第１のねじ部および第２のねじ部が第二の位置にあるときに、形成される。
【００１１】
本発明の一実施例では、第一および第二の複数のねじ部は八つのねじからなる。好適に、ねじのそれぞれは、約５から１０度の範囲にある傾斜角をもつ。
【００１２】
一実施例では、第二の複数のねじ部のそれぞれは、閉鎖部材のスカートから内側に突き出た突起部を有し、複数の第一のねじ部のそれぞれは、複数の第二のねじ部の一つを受け入れガイドを有する。
【００１３】
他の実施例では、複数の第一のねじ部のそれぞれは、容器部材のスカートから
外向きに突き出た突起部を有し、第二の複数のねじ部のそれぞれは、ねじ部の一つを受け入れるガイドを有する。
【００１４】
複数の
本発明の他の実施例では、容器の開口部を閉じるための閉鎖システムが提供され、閉鎖システムは、内側壁部と外側壁部（間に容器の密封部材を受け入れる）とにより画定される、ほぼＵ字形状で、周囲を取り囲むように伸長しているガイドチャネルを有する。密封部材は、ガイドチャネルに対応した形状をもち、内側壁部および外側壁部を有して、ガイドチャネルの内側壁部と容器の密封部材の内側壁部は約５−１０度の範囲で先細りとなり、ガイドチャネルの外側壁はほぼ等間隔の係合点をもつ複数の第一のねじ部を有し、密封部材の外側壁部は第一のねじ部と協働する第二の複数のねじ部を有する。
【００１５】
本発明の他の実施例では、閉鎖システムは、内側壁部と外側壁部（間に容器の密封部材を受け入れる）とにより画定される、ほぼＵ字形状で、周囲を取り囲むように伸長しているガイドチャネルを有する。密封部材は、ガイドチャネルに対応した形状をもち、内側壁部および外側壁部を有して、ガイドチャネルの内側壁部と容器の密封部材の内側壁部は約５−３０度の範囲で先細りとなり、ガイドチャネルの外側壁部はほぼ等間隔の係合点をもつ第一の複数のねじ部を有し、密封部材の外側壁部は第一のねじ部と協働する第二の複数のねじ部を有する。
【００１６】
本発明の他の実施例では、閉鎖システムは、内側壁部と外側壁部（間に容器の密封部材を受け入れる）とにより画定される、ほぼＵ字形状で、周囲を取り囲むように伸長しているガイドチャネルを有する。密封部材は、ガイドチャネルに対応した形状をもち、内側壁部および外側壁部を有して、ガイドチャネルの内側壁部と容器の密封部材の内側壁部は約５−３０度の範囲で先細りとなり、ガイドチャネルの外側壁部はほぼ等間隔の係合点をもつ複数の第一のねじ部を有し、密封部材の外側壁部は第一のねじ部と協働する複数の第二のねじ部を有する。ガイドチャネルの内側壁部と容器の密封部材の内側壁部は、第１および第２のねじ部が係合位置にあるとき、密封手段となる。
【００１７】
他の実施例では、閉鎖システムは、内側壁部と外側壁部（間に容器の密封部材を受け入れる）とにより画定される、ほぼＵ字形状で、周囲に伸長しているガイドチャネルを有する。密封部材は、ガイドチャネルに対応した形状をもち、内側壁部および外側壁部を有して、ガイドチャネルの内側壁と容器の密封部材の内側壁部は約５−３０度の範囲で先細りとなり、ガイドチャネルの外側壁部はほぼ等間隔の係合点をもつ複数の第一のねじ部を有し、密封部材の外側壁部は第一のねじ部と協働する複数の第二のねじ部を有する。ガイドチャネルの内側壁部と容器の密封部材の内側壁部は、第１および第２のねじ部が係合位置にあるとき、密封手段となる。
【００１８】
他の特徴および利点は、添付図面（図をとおして同じ部材、要素について同じ符号が付されている）に図示された、本発明の好適な実施例をから明らかになろう。
【発明を実施するための最良の形態】
【００１９】
本発明を説明する前に、本発明が例示の容器の蓋のデザイン、形状、寸法、材料に限定されず、種々に変えうることは理解されよう。したがって、いろいろな容器の蓋のデザイン、形状が本発明を実施する際に使用することができ、ここでは好適な容器の蓋のデザイン、形状が示されている。
【００２０】
ここで使用される用語は本発明の特定の実施例の説明のためであり、限定のためではないことは理解されよう。
【００２１】
特に定義をしない限り、ここで使用される技術的、科学的用語は、本発明の分野に属する当業者により一般的に理解される意味をもつものである。
【００２２】
さらに、ここで挙げられた刊行物、特許、出願は参考文献として組み込まれる。
【００２３】
最後に、以下の説明で、特に言及しない限り単数、複数の両方を示す。したがって、一つの“ねじ部”と言っても複数のねじ部も含まれ、一つの“ガイド”と言っても複数のガイドを含む。
【００２４】
本発明は従来技術で熱成形された容器のボウルおよび蓋の組立体に関連した欠点や問題を解消またはなくすものである。下述するように、本発明の通気性のあるスピンロック容器は、ボウル（ボウルのリムの近傍に複数のねじ部を有する）、および蓋（内側スカートに形成され、整合はするが逆になった複数のねじ部を有する）を含む係合手段を有する。この係合手段はまた、電子レンジので加熱、その後の冷却の間、使用者が通気のために蓋を配置できる通気手段を含む。
【００２５】
下述するが、本発明のねじ部のデザインや向きは、(i)予め行う回転が最小でもって係合すること、さらに(ii)熱成形の間、成形器から製品を取り出す際、必要となるアンダーカットの量を最小にすることを含む種々の利点を与える。
【００２６】
図１、図２に、符号１０で一般的に示された通気性のあるスピンロック容器の実施例が示されている。図１に図示されているように、容器１０はボウル５０と、適宜脱着することができる円筒状の蓋２０を含む。
【００２７】
本発明は円筒状のボウルと蓋の組み合わせに関連して説明されるが、スピンロック容器の係合および通気手段は円筒状の開口部をもつ種々の容器に適用することができる。このような容器には、たとえばソーダ瓶、ミルク容器、漂白瓶などがある。
【００２８】
当業者には明らかなように、本発明の通気性のあるスピンロック容器を製造するために種々の適当な材料を選択することができる。
【００２９】
このような材料は、蓋とボウルのねじ３０、５４の間での協力関係が円滑になるように十分に弾性的に変形するものである。このような材料はまた、好適な熱成形工程に容易に順応する。
【００３０】
図３、図７に示されているように、蓋２０は周囲密封蓋または端部２２、そこから伸びる円筒状のスカート２４を有する。図３に示されているように、蓋のスカート２４は、ボウル５０の円筒状の口部５２の外径に対応した内径をもつ。
【００３１】
図６Ａないし図６Ｃおよび図７に示されているように、蓋２０の端部２２は内側壁部２７と周囲に伸長するビード２８を有する内側スカート部２６を備える。蓋のスカート２４の内側面２５（内側スカート部２６にある）には、複数のねじ部３０（ボウルのスカート５６にあるねじ部５４と協働する（図１および図３を参照））がある。
【００３２】
図７に示されているように、内側壁部２７は好適に、蓋２０の表面により定義される水平面（“Lp”とする）に関して外側に傾斜する（広がる）。より好適には、内側壁部２７は、蓋２０の前記水平面に関して、９５−１２０度の範囲、さらに好適には約９５−１００度の範囲にある角度αを形成する。
【００３３】
好適な実施例では、蓋のねじ部３０は、内側（スカート）面２５から突き出す複数の突起部３２からなる（図４を参照）。本発明にしたがって、突起部３２は、角張った形状（図７を参照）、湾曲した形状、丸みのある形状のような種々の形状をもち、ボウルのねじ部５４（すなわち、トラックまたはガイド５７）（下述する）は、突起部３２に容易に係合し、協働する形状をもつ。
【００３４】
図７に示されているように、ボウルのリム５８（または密封部材）の内側壁部６３も同様に、ボウルのリム５８により定義される水平面（“Bp”とする）に関して外側に傾斜している。好適に、内側壁部６３は、ボウル５０の上記水平面に関して、約９５−１２０度の範囲、より好適には約９５−１００度の範囲内で対応した角度を形成する。
【００３５】
本発明にしたがって、上記蓋およびボウルの内側壁部２７、６３の傾斜により、ねじ部３０、５４同士の係合、さらにボウル５０のところでの蓋の回転の際、蓋２０をボウル５０とが密封係合する。蓋およびボウルの内側壁部２７、６３の傾斜は、ねじ部３０、５４を円滑に係合させ、さらに、下述するが、本発明の通気手段に寄与する要因となる。
【００３６】
本発明にしたがって、突起部３２の数は、二つから一二個（またはそれ以上）である。好適実施例では、蓋２０は八個の等間隔になった突起部３２（隣り合う係合点３３の間の周囲角度は好適に約２０−４５度の範囲、より好適には３０−４０度の範囲）をもつ。
【００３７】
図示の実施例では、各突起部３２は好適に、約５−２０度の範囲の傾斜角（すなわち、蓋２０の水平面Lpに対する角度）をもつ。より好適には、各突起部３２は約５−１０度の範囲の傾斜角（axial inclination）をもつ。
【００３８】
突起部３２の傾斜角および長さは、もちろん、採用するねじ部の数を容易に変更することができ、いろいろな係合パラメータ、たとえば、密封係合を行う回転角度を決めることができる。
【００３９】
本発明にしたがって、各突起部３２は、最大で約０．００５−０．０３３インチ（０．０１３−０．０７６cm）、より好適には最大で、０．００５−０．０１０インチ（０．０１３−０．０２５cm）、内側（スカート）面から外に突き出し、最大で約０．０１０−０．０４０インチ（０．０２５−０．１０cm）、より好適には０．０１−０．０２０インチ（０．０２５−０．０５cm）の断面積をもつ（図７を参照）。
【００４０】
図１、図２に示されているように、蓋２０は好適に、蓋２０の中央に突出部４０を含む。図１に示されているように、突出部４０は、使用者が蓋２０の回転を容易にできるように、複数のへこみ部４２を含む。
【００４１】
図２ないし図４に示されているように、ボウル５０は一般的に、底部６０と、ボウルの空洞６４を画定するための底部６０から続く側壁部６２を有する。側壁部６２の頂部はぐるりと一周するリム（ボウル５０の口部を定義する）に至る。
【００４２】
図３、図７に示されているように、ボウルのリム５８は好適に、断面をとるとほぼＵ字形となり、内側壁部、環状フランジ（内側壁部から外側に伸張する）、および上記のスカート５６（環状フランジ５９から下方に伸張する）を有する。
【００４３】
本発明にしたがって、ボウルのスカート５６は、八つの等間隔に離れた蓋のねじ部５４を有する（図４を参照）。
【００４４】
図２および図７に示されているように、ねじ部５４は好適に、蓋のねじ部３９（すなわち、突起部３２）を受け入れる複数のトラックまたはガイド５７を有し、蓋２０が第二（通気）の位置（下述する）にあるとき空気通路を与える。
【００４５】
本発明にしたがって、ガイド５７は、角張ったもの（図６、図７を参照）、湾曲したもの、丸みをもつものなどのような種々の形状をもつことができ、(i)ガイド５７が蓋２０の突起部３２と容易に係合し、協働する形状をもち、(ii)蓋２０が通気位置にあるとき通気路を形成する。
【００４６】
上述のとおり、本発明の主要な特徴は、通気手段の動作が非常に単純で効果的であることである。本発明にしたがって、通気手段は電子レンジでの使用の間、容器１０の内側から十分な空気、蒸気が通気できることである。通気手段は、電子レンジでの使用の後、圧力降下が生じないように、容器の内側へと十分な空気の通気を可能にする。
【００４７】
図８に示されているように、好適実施例では、通気手段は蓋２０の所定の回転を可能とし、この場合、ねじ部３０、５４が蓋２０をボウル５０へと締め付けるためにしっかりと係合する位置にある。しかし、蓋の所定の位置で、蓋およびボウルのスカート２４、５６の傾斜および協働するねじ部３０、５４のデザインおよび向きによって、容器１０の内側またはボウル６４から容器の周囲への有効な空気通路がねじ部の面（一般的に符号１００で示されている）の近くに形成される。
【００４８】
蓋２０およびボウル５０の密封可能な係合、ならびに通気手段の操作を次に説明する。蓋２０がボウル５０上にまず置かれる。まず、蓋２０は固定したボウル５０の上で第一の方向（図１では矢印“S”で示されている）に回転させられ、この場合、蓋とボウルのねじ部３０、５４は係合する（図６Aを参照）。蓋２０はさらに、図１および図７に示されているように第一の位置へと同じ方向に回転させられ、ここで蓋２０はボウル５０と係合して密封する（図６Cを参照）。
【００４９】
電子レンジでの使用の前に、蓋２０は第二の位置（図６Bおよび図８）へと、第二の方向（矢印“V”で示されている）へと単に回転させられ、協働するねじ部３０、５４は通気通路、したがって上記した通気手段を形成する。
【００５０】
図９に示されているように、本発明の他の実施例では、少なくとの一つの隆起部３３は蓋の少なくとも一つのねじ部３０上に設けられ、少なくとも一つの協働するシートまたはノッチ５５が、ボウルの少なくとも一つのねじ部５４上に設けられ、シートまたはノッチ５５は、蓋２０が第二の位置、すなわち通気位置にあるとき、隆起部３３と係合するようにデザインされ、位置付けられている。シートまたはノッチ５５での隆起部３３の係合は、蓋通気位置を形成し、蓋２０が通気位置から不用意に移動しないようにする。蓋２０の回転の間、シートまたはノッチ２０での隆起部３３の係合により、蓋２０が安全な状態にあるときを使用が感覚的に知ることができる。
【００５１】
当業者には分かるように、突起部３２およびガイド５７の位置は逆にすることができ、すなわち、ボウルのねじ部５４は突起部３２を有し、蓋のねじ部はガイド５７を有する。
【００５２】
図１０は本発明の他の実施例を示す。この実施例では、複数のねじ７０が蓋の内側スカート部の内側壁部２７に形成されている。図１０に示されているように、ボウルのリム５８の内側壁部６３は蓋のねじ７０に対応した数のねじ部７４を含む。
【００５３】
蓋のねじ部７０も同様に、好適に内側壁部２７の内側面２９から外に突き出た複数の突起部７２を有する。
【００５４】
図１０に示されているように、ボウルのねじ部７４は好適に突起部７２を受け入れる複数のトラックまたはガイド７６を有する。
【００５５】
本発明のしたがって、ねじ部７０、７４は前述のねじ部３０、５４のようなデザイン上の特徴、パラメータを有する。
【００５６】
ねじ部７０、７４の位置もまた同様に逆にすることができ、すなわちボウルのねじ部７４が突起部を有し、蓋のねじ部７０がガイドを有してもよい。
【００５７】
当業者には分かるように、容器のねじ部３０、５４、および／または７０，７４の長さが短いことから、容器１０の閉鎖、通気、および開放に必要な蓋２０の回転角度は小さく、このことにより使用者は実用性のある素早い操作をとることができる。
【００５８】
当業者であれば、本発明の使用、範囲から逸脱することなく、使用や条件にそって、本発明に種々の変更、修正を加えることができるであろう。このような変更、修正は、特許請求の範囲、またはこれと同等物内に適正かつ公平に含まれるものである。
【図面の簡単な説明】
【００５９】
【図１】図１は、本発明にしたがった通気性のある容器の斜視図である。
【図２】図２は、容器の蓋およびボウルを図示する、図１に図示の容器の拡大図である。
【図３】図３は、図１に図示の容器の一部切欠した側面図である。
【図４】図４は、容器のボウルの平面図である。
【図５】図５は、容器の蓋の底面図である。
【図６Ａ】図６Ａは、本発明にしたがった蓋とボウルに係合させた、図１に図示の容器に一部切欠した部分拡大図である。
【図６Ｂ】図６Ｂは、本発明にしたがった蓋とボウルに係合させた、図１に図示の容器に一部切欠した部分拡大図である。
【図６Ｃ】図６Ｃは、本発明にしたがった蓋とボウルに係合させた、図１に図示の容器に一部切欠した部分拡大図である。
【図７】図７は、本発明にしたがった蓋とボウルに係合させた、図１に図示の容器に一部切欠した部分拡大図である。
【図８】図８は、本発明にしたがった、通気位置にある蓋とボウルを図示する、図１に図示の容器に一部切欠した部分拡大図である。
【図９】図９は、本発明にしたがった、通気位置表示手段を有する他の実施例の一部切欠した部分拡大図である。
【図１０】図１０は、本発明にしたがった、内側壁部にねじ部を有する他の実施例の一部切欠した部分拡大図である。
【図１】
2007532417.tif 000003
【図２】
2007532417.tif 000004
【図３】
2007532417.tif 000005
【図４】
2007532417.tif 000006
【図５】
2007532417.tif 000007
【図６Ａ】
2007532417.tif 000008
【図６Ｂ】
2007532417.tif 000009
【図６Ｃ】
2007532417.tif 000010
【図７】
2007532417.tif 000011
【図８】
2007532417.tif 000012
【図９】
2007532417.tif 000013
【図１０】
2007532417.tif 000014
【国際調査報告】
2007532417.tif 000015